(57)【要約】【課題】  汎用型パソコンなどの電気部品の収納場所を確保しつつ、機器本体の小型化を図ることができるリアプロジェクションディスプレイを提供する。【解決手段】  筐体３内の下部に上方へ向けて配置した映像出力源１を配置すると共に、筐体３内の上部にスクリーン面に臨むように傾斜させて反射ミラー９を配置し、映像出力源１から出力された映像光８ｂ、８ｂを反射ミラー９を介してスクリーン４に投影するような光学配置を構成し、機器本体の鉛直方向においてスクリーン４の表示範囲１０と重なり合う位置であるが、映像出力源１から発せられた映像光８ｂ、８ｂの光路を遮らない位置であるスクリーン背面と映像出力源１との間に、電気部品７を収納する。【選択図】      図１
2005331627.tif 000002
【特許請求の範囲】
【請求項１】
筐体内の下部に上方へ向けて配置した映像出力源を配置すると共に、筐体内の上部にスクリーン面に臨むように傾斜させて反射ミラーを配置し、前記映像出力源から出力された映像光を前記反射ミラーを介してスクリーンに投影するような光学配置を構成し、
機器本体の鉛直方向においてスクリーンの表示範囲と重なり合う位置であるが、映像出力源から発せられた映像光の光路を遮らない位置であるスクリーン背面と前記映像出力源との間に、電気部品を収納することを特徴とするリアプロジェクションディスプレイ。
【発明の詳細な説明】
【技術分野】
【０００１】
本発明は、反射ミラーを使用してスクリーン部材の背面側から光像を投射させ、該スクリーン部材の正面側から投射像を視認するるリアプロジェクションディスプレイに関する。
【背景技術】
【０００２】
近年、スクリーン部材の背面側から投射された光像を該スクリーン部材の正面側から視認するようにしたリアプロジェクションディスプレイ（背面投射型プロジェクタ装置）が提案されている。このようなリアプロジェクションディスプレイは、ＣＲＴディスプレイ装置と比較して、大画面でありながら奥行きや設置面積が小さくて済むという特徴を有している。
【０００３】
図４は従来のプロジェクションディスプレイを後方から見た状態を示す概略斜視図であり、図５は従来のプロジェクションディスプレイの光学配置を示す概略側断面図である。図４及び図５において、１は映像出力源、２は前面パネル、３は筐体、４はレンチキュラースクリーン、５はフレネルレンズ、６は背面反射ミラー、７は汎用タワー型パソコンなどの電気部品、８ａは映像光である。
【０００４】
図示するように、従来のリアプロジェクションディスプレイの構造としては、レンチキュラースクリーン４及びフレネルレンズ５が鉛直方向に沿うように起立され、エスカッションと呼ばれる前面パネル２と共にスクリーンユニットとして設置されている。映像出力源１から出力された映像光８ａは背面反射ミラー６にて反射され、スクリーンユニットに背面から投影され、フレネルレンズ５を介してレンチキュラースクリーン４の正面から視認するように構成されている。
【０００５】
このような構成のリアプロジェクションディスプレイにおいて、筐体３内に汎用タワー型パソコンなどの電気部品７を収納しようとすると、図５に示すように、映像光８ａを遮らない部位に収めなければならず、機器本体の背面下部に収納するのが一般的である。
【０００６】
これに関連する技術として、特許文献１には、リアプロジェクタに係る発明が提案されている。この発明は、スクリーンを取り付ける取付部の左右側取付面を、上下端部から中央部分に向かうに従って徐々に内側に傾斜する傾斜面として構成することを要旨としており、スクリーンが常に所定の剛性を持ち、且つ、温度・湿度変化でのスクリーンの外側へのふくらみを防止するものである。
【０００７】
【特許文献１】特開平６−２９４９９７号公報
【発明の開示】
【発明が解決しようとする課題】
【０００８】
しかしながら、図４及び図５に示すように、映像出力源１から出力された映像光８ａを背面反射ミラー６で反射させ、スクリーンユニットに投影するという光学配置が構成されているため、映像光８ａを遮らない場所に汎用タワー型パソコンなどの電気部品７を配置しようとすると、映像出力源１の下面よりも汎用タワー型パソコンなどの電気部品７が下に出っ張り、寸法差Ｃという高さ方向の差が生じる。その結果、いくら映像出力源１を小型化したとしても、機器本体の高さ寸法Ａは汎用タワー型パソコンなどの電気部品７の寸法によって定まり、機器本体の小型化を阻害するた要因となっていた。
【０００９】
また特許文献１では、スクリーン取付部の取付面を傾斜面とする工夫をしているが、スクリーンの外側へのふくらみを防止することを目的とするものであり、汎用タワー型パソコンなどの電気部品の収納を考慮したものではない。
【００１０】
本発明は、上記の課題に鑑みて創案されたものであり、その目的は、汎用型パソコンなどの電気部品の収納場所を確保しつつ、機器本体の小型化を図ることができるリアプロジェクションディスプレイを提供することにある。
【課題を解決するための手段】
【００１１】
上記の目的を達成すべく、本発明に係るリアプロジェクションディスプレイは、筐体内の下部に上方へ向けて配置した映像出力源を配置すると共に、筐体内の上部にスクリーン面に臨むように傾斜させて反射ミラーを配置し、前記映像出力源から出力された映像光を前記反射ミラーを介してスクリーンに投影するような光学配置を構成し、
機器本体の鉛直方向においてスクリーンの表示範囲と重なり合う位置であるが、映像出力源から発せられた映像光の光路を遮らない位置であるスクリーン背面と前記映像出力源との間に、電気部品を収納することを特徴とする。
【発明の効果】
【００１２】
本発明に係るリアプロジェクションディスプレイによれば、機器本体の鉛直方向においてスクリーンの表示範囲と重なり合う位置であるが、映像出力源から発せられた映像光の光路を遮らない位置であるスクリーン背面と映像出力源との間に、映像光と映像光との隙間の三角地帯が存在し、このスペースを汎用タワー型パソコンなどの電気部品の収納場所として利用しているので、機器本体の筐体内の限られたスペースを有効に活用することができ、効率的に部品の配置が可能になり、機器本体の小型化を図ることができるという優れた効果を発揮する。
【発明を実施するための最良の形態】
【００１３】
以下、本発明を実施するための最良の形態を説明するが、本発明は本実施形態に限るものではない。
【００１４】
図１は本発明に係るリアプロジェクションディスプレイの光学配置を示す概略側断面図、図２は本発明に係るリアプロジェクションディスプレイを後方から見た状態を示す概略斜視図、図３は本発明に係るリアプロジェクションディスプレイを示す概略正面図である。これらの図において、１は映像出力源、２は前面パネル、３は機器の筐体、４はレンチキュラースクリーン、５はフレネルレンズ、７は汎用タワー型パソコンなどの電気部品、８ｂ、８ｃは映像光、９は反射ミラー、１０は映像源から発せられた映像光８ｂ，８ｃがスクリーンユニットに投影したときの表示範囲である。
【００１５】
図示するように、本発明に係るリアプロジェクションディスプレイの機器本体の筐体３は前面が開口された中空直方体状を呈しており、その開口部には、鉛直方向に沿うようにレンチキュラースクリーン４及びフレネルレンズ５が装着され、前面にレンチキュラースクリーン４が位置し、後面にフレネルレンズ５が位置するように重ね合わせてエスカッションと呼ばれる前面パネル２と共にスクリーンユニットとして設置されている。
【００１６】
筐体３内の下部（底部）には、上方へ出力部を向けて映像出力源１が配置されており、その上方の筐体３内の上部（天井部近傍）には、反射ミラー９が配置されている。この反射ミラー９は、上記映像出力源１に臨むと共に、スクリーン面にも臨むように傾斜させて配置されており、図１に示すように、その傾斜角度は映像出力源１から出力された映像光８ｂが反射ミラー９にて反射されて、スクリーンユニットの略全面に亘って背面から投影されるような角度に設定されている。そして、反射ミラー９にて反射された映像光８ｃは、フレネルレンズ５を介してレンチキュラースクリーン４の正面から視認しうるように投影され、図３において１０に示す範囲が表示範囲となるような光学配置に構成されている。
【００１７】
このような光学配置を採る本実施形態のリアプロジェクションディスプレイにおいて、汎用タワー型パソコンなどの電気部品７は、機器本体の鉛直方向においてレンチキュラースクリーン４の表示範囲１０と重なり合う位置であるが、映像出力から発せられた映像光８ｂ，８ｃの光路を遮らない位置であるスクリーン背面と上記映像出力源１との間に収納されている。
【００１８】
通常、リアプロジェクションディスプレイにおいては、図４、図５に示したように、背面に反射ミラー６を配置した光学配置が採用されている。このような構成においては、汎用タワー型パソコンなどの電気部品７を収納するにあたって、機器本体の高さをなるべく小さく保ち、且つ、映像光８ａの光を遮らない場所に収納しようとすると、図４及び図５に示す場所に収納するのが一般的である。
【００１９】
しかし、図４及び図５に示す場所に汎用タワー型パソコンなどの電気部品７を収納すると、映像出力源１の下面よりも汎用タワー型パソコンなどの電気部品７が下方へ出っ張り、Ｃ寸法という高さ方向の寸法差を生じる。これに対して、本実施形態のリアプロジェクションディスプレイでは、図１、図２及び図３に示すように、天井部に傾斜させて反射ミラー９を配置した構成を採用しており、この構成において、機器本体の高さをなるべく小さく保ち、且つ、映像光８ｂ、８ｃの光路を遮らない場所に電気部品７を収納しようとすると、映像光８ｂと映像光８ｃとの隙間の三角地帯を利用して収納することが好ましく、これにより機器本体の高さのＢ寸法はＡ＞Ｂとなり、装置の小型化が可能になる。このような場所に電気部品７を収納すると、図３における表示範囲１０とＤ寸法分が重なり合うことになるが、映像光８ｂ，８ｃを遮っているわけではないので、スクリーン面に投影される画像には影響はない。
【００２０】
すなわち、汎用タワー型パソコンなどの電気部品７の映像出力源１からの下面の出っ張り分であるＣ寸法をいかにゼロ近づけ、Ａ＝Ｂに近づけられるかが機器本体の高さの小型化への鍵を握ることになる。
【００２１】
よって、本実施形態のリアプロジェクションディスプレイによれば、機器本体の鉛直方向においてレンチキュラースクリーン４の表示範囲１０と重なり合う位置であるが、映像出力から発せられた映像光８ｂ，８ｃの光路を遮らない位置であるスクリーン背面と上記映像出力源１との間に、映像光８ｂと映像光８ｃとの隙間の三角地帯が存在し、このスペースを汎用タワー型パソコンなどの電気部品７の収納場所として利用しているので、機器本体の筐体３内の限られたスペースを有効に活用することができ、効率的な部品配置が可能となり、機器本体の小型化を図ることができるものである。
【図面の簡単な説明】
【００２２】
【図１】本発明に係るリアプロジェクションディスプレイの光学配置を示す概略側断面図である。
【図２】本発明に係るリアプロジェクションディスプレイを後方から見た状態を示す概略斜視図である。
【図３】本発明に係るリアプロジェクションディスプレイを示す概略正面図である。
【図４】従来のプロジェクションディスプレイを後方から見た状態を示す概略斜視図である。
【図５】従来のプロジェクションディスプレイを光学配置示す概略側断面図である。
【符号の説明】
【００２３】
１  映像出力源
２  前面パネル
３  筐体
４  レンチキュラースクリーン
５  フレネルレンズ
６  背面反射ミラー
７  電気部品
８ｂ、８ｃ  映像光
９  反射ミラー
１０  表示範囲
【図１】
2005331627.tif 000003
【図２】
2005331627.tif 000004
【図３】
2005331627.tif 000005
【図４】
2005331627.tif 000006
【図５】
2005331627.tif 000007